【事件の表示】
　上記当事者間の登録第２６９３６５９号商標の登録取消審判事件について、次のとおり審決する。
【結　論】
　本件審判の請求は、成り立たない。
　審判費用は、請求人の負担とする。
【理　由】
１　本件商標
　本件登録第２６９３６５９号商標（以下「本件商標」という。）は、「ＧＥＭＩＮＩ　ＰＣ−２」の文字を横書きしてなり、平成２年５月１８日に登録出願、第１０類「医療機械器具、これらの部品および附属品」を指定商品として、同６年８月３１日に設定登録されたものである。その後、指定商品については、平成１７年６月１５日に指定商品の書換登録がされ、第１０類「医療用機械器具」と書き換えられている。
　
２　請求人の主張の要点
　請求人は、商標法第５０条第１項の規定により、本件商標の登録を取り消す、審判費用は被請求人の負担とする、との審決を求め、その理由及び答弁に対する弁駁を要旨次のように述べ、証拠方法として甲第１号証（商標登録原簿及び商標公報の写し）を提出した。
（１）請求の理由
　本件商標は、その指定商品「医療用機械器具」について、継続して３年以上日本国内において商標権者、専用使用権者又は通常使用権者のいずれも使用した事実が存在しないから、商標法第５０条第１項の規定により取り消されるべきものである。
（２）答弁に対する弁駁
　被請求人が提出している証拠からは、商標権者、専用使用権者又は通常使用権者のいずれかが、本件商標を、本件審判請求の登録前３年以内に、継続して使用していることは証明されない。
（ア）商標権者、専用使用権者又は通常使用権者のいずれかが本件商標を使用していることについて　　　　　　　　　　　　　　　　　　　　　　　　専用使用権の設定登録はないので、専用使用権者が本件商標を使用していないことは明らかである（乙第１号証）。
　被請求人は、被請求人の代理店である株式会社東機貿（以下「東機貿」という。）が本件商標を使用していた旨述べているが、東機貿が代理店であることを証明する証拠は一切提出されていない。したがって、東機貿は、被請求人の代理店とは認められず、よって、東機貿が通常使用権を有することも証明されない。
　被請求人は、東機貿の関連会社である株式会社佐多商会（以下「佐多商会」という。）が本件商標を付した商品を日本国内に輸入した旨を主張し、佐多商会宛のＩＮＶＯＩＣＥ（写）を提出している（乙第３号証及び同第４号証）。
　しかしながら、被請求人は、東機貿と佐多商会の関連について一切説明しておらず、また、両社の関連性を明らかにする証拠も提出していない。したがって、佐多商会宛のＩＮＶＯＩＣＥ（写）によっては、通常使用権者が本件商標を使用したことは証明されない。
　また、ＩＮＶＯＩＣＥ（写）に記載されている商品が実際に日本に輸入されている事実は、商品代金の支払いを証明する書面、又は通関料、配達料、関税、輸入消費税及び航空運賃等の支払いを証明する書面等が提出されていないため明確に証明されていない。
　なお、ＩＮＶＯＩＣＥ（写）に記載されている「ＳＡＴＡ　ＣＯＲＰＯＲＡＴＩＯＮ」の住所は、「３−４，ＨＩＧＡＳＨＩ　ＡＺＡＢＵ，２−ＣＨＯＭＥ　ＭＩＮＡＴＯ−ＫＵ，ＴＯＫＹＯ（東京都港区東麻布２丁目３番４号）」であるのに対し、乙第２号証に記載されている佐多商会の住所は、「東京都品川区東品川２−５−８天王洲パークサイドビル１３Ｆ」であり、両者の住所は異なる。したがって、ＩＮＶＯＩＣＥ（写）記載の「ＳＡＴＡ　ＣＯＲＰＯＲＡＴＩＯＮ」と佐多商会とが別法人とも考えられる。
　以上述べたとおり、被請求人の提出した証拠によっては、商標権者、専用使用権者又は通常使用権者のいずれかが本件商標を使用していることは証明されない。
（イ）本件商標が本件審判請求の登録前３年以内に、継続して使用されていることについて
　被請求人は、乙第５号証ないし同第８号証を提出して本件商標が本件審判の予告登録日以前の平成１２年から平成１８年にかけて使用された旨を主張している。
　しかしながら、乙第５号証及び同第６号証は、何時のインターネット画面なのか分からない。したがって、乙第５号証及び同第６号証によっては、本件商標が本件審判請求の登録前３年以内に継続して使用されていることは証明されない。
　また、乙第７号証は、２００３年版の医科器械図録であり、年度毎に発行される図録は、その前年に発行されるのが一般的である。したがって、２００３年版の図録は、前年である２００２年に発行されたと考えられるから、上記証拠は、本件審判請求の登録前３年以内（２００４年３月１３日以降）に、本件商標が使用されたことの証拠とはならない。
　さらに、被請求人は、２０００年から２００６年まで本件商標に係る商品を納入した病院一覧リストと称して、乙第８号証を提出している。しかしながら、同証拠の作成者、作成時期を特定する記載は、同証拠上に一切ない。したがって、同証拠の信用性は極めて低く、同証拠によって、本件審判請求の登録前３年以内に、本件商標が使用されたことは証明されない。
（ウ）被請求人の使用に係る商標と本件商標との同一性について
　被請求人は、使用商標「ＧＥＭＩＮＩ　ＰＣ−２ＴＸ」と本件商標「ＧＥＭＩＮＩ　ＰＣ−２」とは、社会通念上同一と認められる旨主張している。
　しかしながら、被請求人が提出する証拠に記載されている「ＰＣ−２ＴＸ」の文字は、同書・同体・同間隔で書されているので、「ＴＸ」部分が使用商標から除かれて認識されることはない。したがって、使用商標は、「ＧＥＭＩＮＩ　ＰＣ−２ＴＸ」として認識されるので、「ＴＸ」が付加されている以上、本件商標と使用商標は社会通念上同一とは認められない。
　
３　被請求人の主張の要点
　被請求人は、結論同旨の審決を求めると答弁し、その理由を要旨以下のように述べ、証拠方法として乙第１号証ないし同第８号証を提出した。
（１）本件商標は、取消審判の予告登録日前３年以内に被請求人の代理店である東機貿（東京都港区東麻布２丁目３番４号所在）により、日本国内において、その指定商品中の「輸液ポンプ」に付されて使用されていたものであるから、取消の対象とはならないものである。
　乙第２号証は、本件商標「ＧＥＭＩＮＩ　ＰＣ−２」が使用されている商品「輸液ポンプ」の取扱説明書及び商品の拡大図形であり、乙第３号証及び同第４号証は、東機貿の関連会社である佐多商会が商品「輸液ポンプ」を日本国へ輸入した事実を示す英文ＩＮＶＯＩＣＥ（写）であり、乙第５号証ないし同第８号証は、本件審判の予告登録日以前の平成１２年から平成１８年まで、本件商標「ＧＥＭＩＮＩ　ＰＣ−２」が商品「輸液ポンプ」に継続して使用されてきたことを示すものである。
（２）以上のとおり、本件商標に係る使用商標「ＧＥＭＩＮＩ　ＰＣ−２ＴＸ」は、「ＧＥＭＩＮＩ」の部分が筆記体で表示されているとしても、これより生ずる称呼が「ジェミニ」のみであること及び「ＰＣ−２ＴＸ」の部分の「ＴＸ」は、記号・規格等を表示すると理解されるところから、本件商標に係る使用商標は、社会通念上本件商標と同一と認められる商標の使用であることが明らかである。
（３）そうしてみると、本件商標が本件商標の指定商品中の商品「輸液ポンプ」に本件商標の通常使用権者である東機貿により、本件審判請求の予告登録日前３年以内に日本国内で使用されていたことは明らかである。
　
４　当審の判断
（１）被請求人の提出に係る乙各号証によれば、以下の事実を認めることができる。
　乙第２号証は、「輸液ポンプ」に関する商品説明書及び商品の拡大図であって、商品説明書には、「ジェミニシリーズ輸液ポンプ」の表題が付けられており、その上部には、「器具器械（７４）医薬品注入器」の表示があり、左肩には「２００５年１２月２５日改訂（第２版）」と記載されている。そして、その内容として、「形状・構造等」の欄には、「１．ＰＣ−２ＴＸ（２チャンネル）」、「２．ＰＣ−１（１チャンネル）」、「３．ＰＣ−４（４チャンネル）」の表示があり、寸法、重量が記載され、ＰＣ−２ＴＸの写真が掲載されている。また、「性能、使用目的、効能又は効果」の欄には「１．使用目的／本装置は、輸液・薬液等を輸注するマイクロプロセッサ制御の脈動駆動子による輸液注入装置です。」との記載があり、さらに、「操作方法又は使用方法等」の欄、「使用上の注意」の欄等には、それぞれの説明が記載されている。そして、末尾には、「製造販売業者及び製造業者の氏名又は名称及び住所等」の欄があり、「製造販売業者」として、佐多商会の住所、電話番号等が記載されており、「外国製造業者」として、「カーディナル　ヘルス　３０３社／アメリカ合衆国」等と記載されており、更に、「お問い合わせ先」として、「ＴＯＫＩＢＯ／ＣＯ．，ＬＴＤ．／株式会社東機貿」の表示とともに、その電話番号が記載されている。
　輸液ポンプの拡大図には、「ジェミニシリーズ輸液ポンプ」の表題が付けられており、その左肩には、「ＡＬＡＲＩＳ／ＭＥＤＩＣＡＬ　ＳＹＳＴＥＭＳ／米国アラリス社」の表示があり、表題の下部には、筆記体で表された「Ｇｅｍｉｎｉ」の文字とそれに続けて「ＰＣ−１・ＰＣ−２ＴＸ・ＰＣ−４／Ｖｏｌｍｅｔｒｉｃ　Ｐｕｍｐ／Ｃｏｎｔｒｏｌｌｅｒ」の表示がある。そして、各輸液ポンプの写真が掲載されており、ＰＣ−２ＴＸの輸液ポンプには、筆記体で表された「Ｇｅｍｉｎｉ」の文字と活字体で表された「ＰＣ−２ＴＸ」の文字を一連に表した商標が表示されており、最下部には「ＴＯＫＩＢＯ　ＣＯ．，ＬＴＤ．」の表示がなされている。
　乙第３号証及び同第４号証は、佐多商会が商品「輸液ポンプ」を日本国へ輸入した際、輸出業者である「ＴＫＢ　ＩＮＴＥＲＮＡＴＩＯＮＡＬ，ＩＮＣ．」が発行したインボイスの写しと認められるものであり、これらには、「Ｄｅｓｃｒｉｐｔｉｏｎ」として「ＧＥＭＩＮＩ　ＰＣ−２ＴＸ」、「ＭＡＮＵＦＡＣＴＵＲＥＲ」として「ＡＬＡＲＩＳ　ＭＥＤＩＣＡＬ　ＳＹＳＴＥＭＳ，ＩＮＣ．」等の記載があり、「Ｄａｔｅ」として、乙第３号証には「０３／２５／０５」、乙第４号証には「０１／２７／０６」の日付が記載されている。
　乙第５号証及び同第６号証は、アラリス社のホームーぺージにおける「輸液ポンプ」のページをプリントアウトしたと認められるものであり、乙第２号証に掲載されている「Ｇｅｍｉｎｉ　ＰＣ−２ＴＸ」と同じものと認められる「輸液ポンプ」の写真が掲載されているが、プリントアウトの日付は不明である。
　乙第７号証は、日本医科器械学会発行の「ＪＭＩ医科器械図録２００３」であり、東機貿の取り扱いに係る「ジェミニシリーズ輸液ポンプＰＣ−１／ＰＣ−２ＴＸ／ＰＣ−４」の製品が写真入りで紹介されている。
　乙第８号証は、ジェミニシリーズの輸液ポンプを納品したとされる病院の一覧リストであり、「ＰＣ−１」、「ＰＣ−２ＴＸ」、「ＰＣ−４」等に係る輸液ポンプが２０００年から２００６年までに納品されたとされる各地の病院名が記載されている。
（２）上記において認定した事実によれば、被請求人は、少なくとも、医療用機械器具である「輸液ポンプ」の製造を業とする企業であり（乙第２号証ないし同第７号証）、商標登録原簿（乙第１号証）の記載によれば、現在の被請求人の名称は「カーディナル　ヘルス　３０３　インコーポレイテッド」であるが、平成１８年１月２３日に登録登録名義人の表示の変更登録がなされる前の名称は「アラリス　メデイカル　システムズ　インコーポレーテッド」であったことが認められる。
　そして、被請求人と東機貿との関係については、乙第２号証（輸液ポンプの商品説明書）の末尾に、外国製造業者として被請求人と認め得る「カーディナル　ヘルス　３０３社」の名称とともに、お問い合わせ先として「ＴＯＫＩＢＯ／ＣＯ．，ＬＴＤ．／株式会社東機貿」と記載されていること、乙第２号証に添付されている商品の拡大図にも被請求人の旧名称（略称）と認め得る「ＡＬＡＲＩＳ／ＭＥＤＩＣＡＬ　ＳＹＳＴＥＭＳ／米国アラリス社」の表示とともに「ＴＯＫＩＢＯ　ＣＯ．，ＬＴＤ．」の表示があり、更に、乙第７号証（ＪＭＩ医科器械図録２００３）にも、被請求人の旧名称（略称）と認め得る「アラリス　メディカル　システムズ」の表示のもとに掲載されている「ジェミニシリーズ輸液ポンプ」の販売元として「ＴＯＫＩＢＯ／ＣＯ．，ＬＴＤ．／株式会社東機貿」と記載されていること等からみれば、被請求人が主張しているように、東機貿は、被請求人の我が国における代理店であって、本商標権について通常使用権を許諾されていたものとみるのが自然である。
　そして、乙第２号証の「輸液ポンプの商品説明書」は、取引書類の一種と認められるものであって、本件審判の請求の登録（平成１９年３月１３日）前３年以内である２００５年（平成１７年）１２月２５日に改訂発行されているものである。ここには、「ＧＥＭＩＮＩ　ＰＣ−２」の文字からなる本件商標そのものは表示されてはいないが、表題には「ジェミニシリーズ輸液ポンプ」の表示があり、商品を紹介する「形状・構造等」の欄には、「ＰＣ−２ＴＸ」の表示とともにその商品の写真が掲載されていることが認められる。
　しかして、乙第２号証の「形状・構造等」の欄には、「ＰＣ−２ＴＸ」の箇所に「（２チャンネル）」と記載されており、「ＰＣ−１」の箇所には「（１チャンネル）」、「ＰＣ−４」の箇所には「（４チャンネル）」とそれぞれ記載されている。このことからみると、これらの表示は、いずれも、「ＧＥＭＩＮＩ（ジェミニ）」シリーズの輸液ポンプであって、チャンネル数によって、「ＰＣ−２ＴＸ」、「ＰＣ−１」、「ＰＣ−４」のように表示されているものと認められる。そうとすれば、ジェミニシリーズの輸液ポンプにおける具体的な機種の特定には、「ＰＣ−２ＴＸ」、「ＰＣ−１」、「ＰＣ−４」等の表示が必要になるとしても、自他商品の識別標識（商標）として機能しているのは、「ジェミニ」の文字部分にあるものということができる。そして、本件商標構成中の「ＧＥＭＩＮＩ」の欧文字からは「ジェミニ」以外の称呼は生じないものであり、ともに「双子座」等の観念を理解・認識させるものである。
　してみれば、乙第２号証の当該部分に表されている「ジェミニ」の文字部分は、本件商標と社会通念上同一と認められる商標ということができる。加えて、乙第２号証に掲載されている写真、乙第２号証に添付されている商品の拡大写真、乙第５号証及び同第６号証の商品の写真によれば、この「ジェミニ」シリーズの「ＰＣ−２ＴＸ」の輸液ポンプには、筆記体で表された「Ｇｅｍｉｎｉ」の文字と活字体で表された「ＰＣ−２ＴＸ」の文字からなる商標が表示されており、「ＴＸ」の文字部分は、商品の型番の一部と認められるものであるから、該輸液ポンプに表示されている商標も本件商標と社会通念上同一と認められる商標ということができる。
　また、乙第３号証及び同第４号証（インボイスの写し）によれば、佐多商会は、「ＴＫＢ　ＩＮＴＥＲＮＡＴＩＯＮＡＬ，ＩＮＣ．」から本件審判についての要証期間内である２００５年（平成１７年）３月２５日及び２００６年（平成１８年）１月２７日に、「ＧＥＭＩＮＩ　ＰＣ−２ＴＸ」の輸液ポンプを日本へ輸入していたことが窺われる。この佐多商会と東機貿との関係については、乙第２号証の末尾に、「カーディナル　ヘルス　３０３社」や「ＴＯＫＩＢＯ／ＣＯ．，ＬＴＤ．／株式会社東機貿」の表示とともに、製造販売業者として「株式会社佐多商会」の名称が記載されていること、乙第７号証には「（株）東機貿および（株）佐多商会は、医療機器の輸入販売に関する一貫業務について、１９９８年７月３日に国際規格ＩＳＯ９００２：１９９４の認証を受け、・・・」と記載されていること、乙第７号証に記載されている東機貿の本社住所と乙第３号証及び同第４号証に記載されている「ＳＡＴＡ　ＣＯＲＰＯＲＡＴＩＯＮ」の住所が同じであること、東機貿の東京営業所の住所と乙第２号証に記載されている佐多商会の住所が同じであり、乙第２号証に記載されている佐多商会と東機貿の電話番号が同じであること等をも併せみれば、被請求人が主張しているように、佐多商会は東機貿の関連会社である旨の被請求人の主張は首肯し得るものである。
　更に、乙第８号証（病院の一覧リスト）によれば、ジェミニシリーズの輸液ポンプのうち、「Ｇｅｍｉｎｉ　ＰＣ−２ＴＸ」を購入していた病院は、２０００年当時からあり、本件審判についての要証期間内のものだけをみても、２００５年には「Ｋａｗａｓａｋｉ　Ｔａｍａ　Ｈｏｓｐｉｔａｌ」と「Ｓｔ．Ｍａｒｉａｎｎａ　Ｕｎｉｖｅｒｓｉｔｙ　Ｓｃｈｏｏｌ　ｏｆ　Ｍｅｄｉｃｉｎｅ　Ｈｏｓｐｉｔａｌ」の病院名が記載されており、また、２００６年には「Ｙａｍａｇａｔａ　Ｃｅｎｔｒａｌ　Ｈｏｓｐｉｔａｌ」の病院名が記載されていることが認められる。
（３）上記乙号証のうち、乙第３号証ないし同第８号証は、それらを個別にみた場合には、記載内容や使用時期などの点において、それら乙号証単独では、本件商標の使用の事実を証明するものとして必ずしも適確なものとはいえないとしても、乙第２号証（輸液ポンプの商品説明書）を主として、これにその他の乙号証を総合してみれば、被請求人は、被請求人の我が国における代理店にして通常使用権者と推認し得る東機貿により、本件審判の請求の登録前３年以内に日本国内において、輸液ポンプに関する取引書類に本件商標と社会通念上同一と認められる商標を表示して取引に供するとともに、輸液ポンプ自体にも本件商標と社会通念上同一と認められる商標を付して販売していたものとみるのが相当である。
　そして、該輸液ポンプは、乙第２号証の商品説明書によれば、取消請求に係る本件商標の指定商品である「医療用機械器具」に属する商品と認められるものである。
（４）請求人の主な反論に対して
（ア）請求人は、東機貿が被請求人の代理店とは認められず、また、東機貿が通常使用権を有することも証明されていないこと、東機貿と佐多商会との関連性を明確に示す証拠が提出されていないこと、インボイスのみでは商品が実際に日本に輸入されている事実は明確に証明されないこと、インターネット画面には日付の記載がないこと、２００３年版の医科器械図録は本件審判請求の登録前３年以内における使用の事実の証拠とはならないこと、２０００年から２００６年における本件商標に係る商品の納入病院一覧リストは作成者・作成時期を特定する記載もなく同証拠の信憑性は極めて低いことを挙げている。
　確かに、インボイス（乙第３号証及び同第４号証）のみでは商品が実際に日本に輸入された事実までをも確認できるものではなく、アラリス社のホームーぺージ（乙第５号証及び同第６号証）にはプリントアウトした日付もなく、２００３年版の医科器械図録（乙第７号証）は、本件審判事件における要証期間内のものではなく、更に、納入病院一覧リスト（乙第８号証）はリストの表題や作成年月日、作成責任者等の記載もないことから、書証としての信頼性にやゝ難点があることは請求人の主張のとおりである。
　しかしながら、上記したとおり、乙第２号証を主たる証拠として、これにその他の乙号証を総合してみれば、それらが相互に補完し合うことにより、本件商標と社会通念上同一と認められる商標が「輸液ポンプ」に使用されていた事実を認めることはできるものというべきである。
　そして、請求人と東機貿との関係及び東機貿と佐多商会との関係については、上記したとおりであり、また、通常使用権の許諾は口頭ないしは黙示の意思表示でも足りるものと解されており、被請求人の答弁書における主張と乙各号証における記載等を併せみれば、被請求人は、東機貿に本商標権についての通常使用権を許諾していたものとみるのが相当である。
（イ）請求人は、使用商標は「ＧＥＭＩＮＩ　ＰＣ−２ＴＸ」として認識されるものであって、「ＴＸ」が付加されている以上、本件商標と社会通念上同一の商標とは認められない旨主張している。
　確かに、本件商標は、「ＧＥＭＩＮＩ　ＰＣ−２」の構成からなるものであるのに対して、被請求人の使用に係る商標は、「ＧＥＭＩＮＩ　ＰＣ−２ＴＸ」の文字で表された構成からなる商標であるから、被請求人の使用に係る商標と本件商標とは同一の構成からなるものとはいえない。しかしながら、本件商標において自他商品の識別標識として機能しているのは「ＧＥＭＩＮＩ」の部分であることは、上記４（２）のとおりであり、本件の使用商標における「ＴＸ」の文字部分は、商品の型番の一部と認められるものであって、その他の綴り字等は全て同一のものであるから、使用に係る商標は、本件商標と社会通念上同一と認められる商標と認めて差し支えないものというべきである。
（ウ）そうしてみると、請求人の上記主張は、いずれも採用することができない。
（５）まとめ
　以上のとおり、被請求人は、本件審判の請求の登録前３年以内に、日本国内において、被請求人の通常使用権者と認められる者によって、本件審判の請求に係る指定商品に含まれる「輸液ポンプ」について、本件商標と社会通念上同一と認められる商標の使用をしていたことを証明したものということができる。
　したがって、本件商標の登録は、商標法第５０条の規定により取り消すことはできない。
　よって、結論のとおり審決する。